(57)【要約】【目的】  本発明は、ソーラーパネルや、緑化屋根となる構成部材を適宜取付けることができ、汎用性を有し、簡易且つ強固に取付けることができると共に、安価に提供できること。【構成】  折板屋根Ｂの単位折板屋根板Ｂ１の幅に略相当する長さで細長い平坦状主板１１と、該平坦状主板１１の幅方向の両側に形成された主側部１２，１２と、該主側部１２の長手方向の一端に設けられた端面部１３と、該端面部１３に螺合されたボルト１４とを備えてこと。前記主側部１２の長手方向の一端側に設けられた、前記折板屋根Ｂの馳部４３を覆う馳部用切欠き１２ａと、前記主側部１２の長手方向の他端に形成された前記馳部４３の下部側まで伸びた突出部１２ｂとが形成されてなること。【選択図】      図１
2010138620.tif 000002
【特許請求の範囲】
【請求項１】
折板屋根の単位折板屋根板の幅に略相当する長さで棒状をなし、前記折板屋根の頂部の馳部を覆うようにして又は重合部の頂面箇所に重ねるようにして取付け可能な折板屋根用力骨体。
【請求項２】
折板屋根の単位折板屋根板の幅に略相当する長さで細長い平坦状主板と、該平坦状主板の幅方向の両側に形成された主側部と、該主側部の長手方向の一端に設けられた端面部と、該端面部に螺合されたボルトと、前記主側部の長手方向の一端側に設けられた、前記折板屋根の馳部を覆う馳部用切欠きと、前記主側部の長手方向の他端に形成された前記馳部の下部側まで伸びた突出部とからなることを特徴とする折板屋根用力骨体。
【請求項３】
請求項２において、前記ボルトのボルト頭側は、前記平坦状主板及び両主側部の内側の収納可能で、且つ長手方向に隣接する平坦状主板相互が突き当て状態で略平面状をなすことを特徴とする折板屋根用力骨体。
【請求項４】
折板屋根の単位折板屋根板の幅に略相当する長さで細長い平坦状主板と、該平坦状主板の幅方向の両側に形成された主側部と、前記平坦状主板及び主側部の長手方向の一端に形成された厚さが薄い一端側上重ね部と、前記平坦状主板及び主側部の長手方向の他端に形成された厚さが薄い他端上側重ね部とからなり、前記一端側上重ね部と前記他端上側重ね部とで前記主側部の厚さに相当してなると共に、該箇所で折板屋根上に固着可能としてなることを特徴とする折板屋根用力骨体。
【請求項５】
請求項４において、前記一端側上重ね部には貫通孔付き凹部が、前記他端上側重ね部上には貫通孔付き上面がそれぞれ形成され、前記折板屋根の重合箇所の剣先ボルトに螺合する鍔付きナットの筒部が前記貫通孔のみに挿通可能に設けられてなることを特徴とする折板屋根用力骨体。
【請求項６】
請求項１，２，３，４又は５において、前記折板屋根用力骨体を分離して、中間に連結部材を設け、該連結部材を介して長手方向に伸縮自在としてなることを特徴とする折板屋根用力骨体。
【請求項７】
折板屋根の単位折板屋根板の幅に略相当する長さを有する棒状の折板屋根用力骨体が前記折板屋根の長手方向に直交するように配置されつつ、該折板屋根の頂部の馳部又は重合部の頂面箇所に取付けられてなることを特徴とする折板屋根の力骨体取付構造。
【発明の詳細な説明】
【技術分野】
【０００１】
本発明は、ソーラーパネルや、緑化屋根となる構成部材を適宜取付けることができ、汎用性を有し、簡易且つ強固に取付けることができると共に、安価に提供できる折板屋根用力骨体及び折板屋根の力骨体取付構造に関する。
【背景技術】
【０００２】
従来より、折板屋根上に、太陽光発電パネルや、緑化構造物を設ける場合には、種々の構成を成した部材がその都度設計などされて取付られていた。特に、前記太陽光発電パネルは、各メーカーによって、形状、取付寸法などが異なっている。このため、毎回、そのパネルサイズに合うように、その取付金具の検討が必要であった。また、緑化構造物を折板屋根上に取付けるには、さらにその都度、設計などされて取付られていたことが多かった。引用文献１の構成では、汎用性及び強度性などがなく、構造が複雑で取付性が悪いなどの欠点があった。
【特許文献１】特開２００２−９３３０９
【発明の開示】
【発明が解決しようとする課題】
【０００３】
そこで、本発明は、これらの欠点及び欠陥を解消するとともに、汎用性ある物とすることを目標とした。つまり、本発明が解決しようとする課題（技術的課題又は目的等）は、ソーラーパネルや、緑化屋根となる構成部材が適宜取り付られるように、汎用性を考慮しつつ、簡易且つ強固に取付けることができると共に、安価に提供できることを実現することである。
【課題を解決するための手段】
【０００４】
そこで、発明者は上記課題を解決すべく鋭意，研究を重ねた結果、請求項１の発明を、折板屋根の単位折板屋根板の幅に略相当する長さで棒状をなし、前記折板屋根の頂部の馳部を覆うようにして又は重合部の頂面箇所に重ねるようにして取付け可能な折板屋根用力骨体としたことにより、前記課題を解決した。
【０００５】
請求項２の発明を、折板屋根の単位折板屋根板の幅に略相当する長さで細長い平坦状主板と、該平坦状主板の幅方向の両側に形成された主側部と、該主側部の長手方向の一端に設けられた端面部と、該端面部に螺合されたボルトと、前記主側部の長手方向の一端側に設けられた、前記折板屋根の馳部を覆う馳部用切欠きと、前記主側部の長手方向の他端に形成された前記馳部の下部側まで伸びた突出部とからなることを特徴とする折板屋根用力骨体としたことにより、前記課題を解決した。
【０００６】
また、請求項３の発明を、請求項２において、前記ボルトのボルト頭側は、前記平坦状主板及び両主側部の内側の収納可能で、且つ長手方向に隣接する平坦状主板相互が突き当て状態で略平面状をなすことを特徴とする折板屋根用力骨体としたことにより、前記課題を解決した。
【０００７】
請求項４の発明を、折板屋根の単位折板屋根板の幅に略相当する長さで細長い平坦状主板と、該平坦状主板の幅方向の両側に形成された主側部と、前記平坦状主板及び主側部の長手方向の一端に形成された厚さが薄い一端側上重ね部と、前記平坦状主板及び主側部の長手方向の他端に形成された厚さが薄い他端上側重ね部とからなり、前記一端側上重ね部と前記他端上側重ね部とで前記主側部の厚さに相当してなると共に、該箇所で折板屋根上に固着可能としてなることを特徴とする折板屋根用力骨体としたことにより、前記課題を解決した。
【０００８】
請求項５の発明を、請求項４において、前記一端側上重ね部には貫通孔付き凹部が、前記他端上側重ね部上には貫通孔付き上面がそれぞれ形成され、前記折板屋根の重合箇所の剣先ボルトに螺合する鍔付きナットの筒部が前記貫通孔のみに挿通可能に設けられてなることを特徴とする折板屋根用力骨体としたことにより、前記課題を解決した。
【０００９】
請求項６の発明を、請求項１，２，３，４又は５において、前記折板屋根用力骨体を分離して、中間に連結部材を設け、該連結部材を介して長手方向に伸縮自在としてなることを特徴とする折板屋根用力骨体としたことにより、前記課題を解決した。また、請求項７の発明を、折板屋根の単位折板屋根板の幅に略相当する長さを有する棒状の折板屋根用力骨体が前記折板屋根の長手方向に直交するように配置されつつ、該折板屋根の頂部の馳部又は頂部箇所に取付けられてなることを特徴とする折板屋根の力骨体取付構造としたことにより、前記課題を解決したものである。
【発明の効果】
【００１０】
請求項１の発明においては、ソーラーパネルや、緑化屋根となる構成部材を適宜取付けることができ、汎用性を有し、簡易且つ強固に取付けることができ、安価に提供できる折板屋根用力骨体を提供できる。さらに、請求項２の発明においては、特に、馳締用折板屋根に対して、馳部への取付が良好にできると共に、上に飛び出した馳部が何らの邪魔になることなく、ソーラーパネルや、緑化屋根となる構成部材の取付性を良好にできる。請求項３の発明においては、馳部に固定する部材なるボルトを一切覆い隠すことができ、極めて整然とした折板屋根用力骨体にできる。
【００１１】
請求項４の発明においては、特に、重合用折板屋根に対して、その重合箇所の頂部への取付が良好にできると共に、ソーラーパネルや、緑化屋根となる構成部材の取付性を良好にできる。また、請求項５の発明においては、特有の鍔付きナットの存在にて取付性を一層良好にできる。請求項６の発明においては、折板屋根の単位折板屋根板の間隔か適宜異なっても、良好に対応できる。請求項７の発明では、特に、折板屋根に取付けることで、折板屋根を強固な力骨構造として提供できる。
【発明を実施するための最良の形態】
【００１２】
以下、本発明の実施形態について図面に基づいて説明すると、本発明では、図１乃至図７に示すように、折板屋根Ｂを構成する馳締用折板屋根４の馳部４３を有する馳締タイプの馳部用力骨体１としての折板屋根用力骨体Ａと、図８乃至図１３に示すように、折板屋根Ｂを構成する重合用折板屋根５の幅方向の両端部をそれぞれ重ね合わせる重合タイプの重合用力骨体２とに分類される。
【００１３】
まず、前記馳部用力骨体１について、図１乃至図７に基づいて説明する。前記馳締用折板屋根４は、有底Ｖ字状の谷部４１と上部４２とが連続し、該上部４２に馳部４３が形成されている。該馳部４３は、図３乃至図５，図６（Ａ）及び図７に示すように、丸形状（断面？状）をなしているが、断面うちわ形状［図６（Ｂ）参照］、或いは、断面逆Ｌ形状［図６（Ｃ）参照］に形成されることもある。馳締できれば、何れの馳部４３の形状にても限定されない。また、前記馳締用折板屋根４の単位折板屋根Ｂ１としては、有底Ｖ字状の谷部４１の両側に上部４２，４２が形成され、該上部４２，４２の両端に馳部４３，４３が形成されている。
【００１４】
前記馳部用力骨体１は、図１乃至図３に示すように、主に、細長い平坦状主板１１と、主側部１２と、端面部１３と、該端面部に螺合されたボルト１４と、馳部用切欠き１２ａ及び突出部１２ｂなどから構成されている。前記平坦状主板１１は、折板屋根Ｂの馳締用折板屋根４の単位折板屋根板Ｂ１としての幅に略相当する長さに形成されている（図１及び図３参照）。前記平坦状主板１１の幅方向の両側（図２参照）に垂下して主側部１２，１２が形成されている。該主側部１２，１２の長手方向の一端[図２（Ａ）において左側]に端面部１３が垂下状に設けられている。
【００１５】
該端面部１３には、ボルト１４が螺合されている。具体的には、２本のボルト１４が適宜の間隔を有し、該ボルト１４のボルト頭１４ａが外側に位置し、ボルト軸部１４ｂが前記端面部１３に螺合されている。該螺合構造としては、前記端面部１３自体に雌ネジが螺設されて、該雌ネジに前記ボルト１４が螺合されていたり、或いは、前記端面部１３には、少し大きな孔が穿孔されてその箇所裏面にナット１５が溶接などで固着され、該ナット１５にボルト１４が螺合されていることもある。実施形態の図では、ナット１５取付タイプである。何れでも、前記端面部１３にボルト１４が螺合されていれば、その構造には制限されない。
【００１６】
また、該ボルト１４は、前記ボルト頭１４ａが少し上側位置になって前記ボルト軸部１４ｂの軸方向が斜めになるように設けられていることが多い。これは、前記馳部４３を包持するようにして取付けられる。また、断面うちわ形状［図６（Ｂ）参照］の馳部４３でも、断面逆Ｌ形状［図６（Ｃ）参照］の馳部４３でも、同様にボルト１４にて包持するようにして取付けられる。さらに、前記ボルト１４は、図１（Ｂ）及び図２（Ａ）に示すように、略平行に設けられることもある。
【００１７】
前記両主側部１２，１２の長手方向の一端[図２（Ａ）において左側]側は、その上側のみを残して下側に馳部用切欠き１２ａ，１２ａが設けられている。該馳部用切欠き１２ａ，１２ａにて前記馳締用折板屋根４の馳部４３を覆うように構成されている。さらに、前記両主側部１２，１２の他端[図２（Ａ）において右側]側は、下側箇所のみが延びて、前記馳部４３下方の基部に突き当たるか、或いは該馳部４３下方の入り込む突出部１２ｂ，１２ｂが形成されている。該突出部１２ｂ，１２ｂの直上の平坦状主板１１も存在しないように構成されている。
【００１８】
特に、該平坦状主板１１の長手方向の他端［図２（Ａ）において右側]が、隣接する馳部用力骨体１の端面部１３に当接すると［図５（Ａ）及び（Ｃ）参照]、前記ボルト１４のボルト頭１４ａ側が前記平坦状主板１１及び前記両主側部１２，１２にて覆われて、隣接する馳部用力骨体１，１相互の前記平坦状主板１１及び前記両主側部１２，１２が連続状態を保持するように構成されている。つまり、前記ボルト１４のボルト頭１４ａ側は、前記平坦状主板１１及び主側部１２，１２の内側に収納可能で、且つ長手方向に隣接する平坦状主板１１，１１相互が突き当て状態で略平面状をなすように構成されている。このように連続することで、折板屋根Ｂ上に力骨体が設置された状態となる。前記主側部１２の長手方向の一端，他端は、図面に示す実施形態と逆となることもある。
【００１９】
次に、前記馳部用力骨体１を折板屋根Ｂなる馳締用折板屋根４の馳部４３への取付施工について説明する。前記馳締用折板屋根４の隣接する馳部４３，４３間に本発明の馳部用力骨体１を配置して斜めにする。そして、馳部用力骨体１の突出部１２ｂを適宜の箇所の馳部４３下側に挿入せんとする[図３（Ａ）参照]。それと同時に、馳部用力骨体１の一端側［図３（Ｂ）において左側]の馳部用切欠き１２ａを、隣接する馳部４３に被せる[図３（Ｂ）及び図４（Ａ）参照]。このとき、ボルト１４は緩めておくか、或いは外しておく。その馳部用切欠き１２ａを被せた後に、前記ボルト１４を締め付けて、ボルト軸部１４ｂの先端で前記馳部４３下側を押圧状態として該馳部４３に馳部用力骨体１を固定する[図４（Ｂ）参照]。
【００２０】
そして、同様にして、次の馳部用力骨体１を折板屋根Ｂなる馳締用折板屋根４の馳部４３に取付ける。つまり、次の馳部用力骨体１の前記平坦状主板１１及び前記両主側部１２，１２の他端側を、前位置の馳部用力骨体１の端面部１３に突き当てようとし［図４（Ｃ）参照]、突き当てると[図５（Ａ）及び（Ｃ）参照]、同時に飛び出しているボルト頭１４ａが前記平坦状主板１１及び前記両主側部１２，１２の他端側箇所で覆われて、隣接する馳部用力骨体１，１相互の前記平坦状主板１１及び前記両主側部１２，１２が連続状態を保持する。つまり、前記ボルト１４のボルト頭１４ａ側は、前記平坦状主板１１及び主側部１２，１２の内側に収納され、且つ長手方向に隣接する平坦状主板１１，１１相互が突き当て状態で略平面状をなして、連続した力骨体が構成される。
【００２１】
このようにして、馳部用力骨体１が折板屋根Ｂなる馳締用折板屋根４に取付施工される。特に、馳部４３にボルト１４にて締付け固定しており、部材の馳部用力骨体１も強固にでき、折板屋根Ｂ上の力骨体としての役割をなす。そして、図７（Ａ）に示すように、その力骨体なる連続した馳部用力骨体１，１，…上に、適宜な屋根材８，ガッターなどの取付部材８ａが葺成できたり、或いは、図７（Ｂ）に示すように、太陽光発電パネルや、緑化屋根部材などの屋根載置用部材９が取りつけられることがある。特に、力骨体の上面が平坦状をなしているため、取付条件の制限を受けない利点がある。さらに、図７（Ｃ）に示すように、適宜の取付ボルトＮを取付けるにも、前記馳部用力骨体１の平坦状主板１１のみのため、簡単に所望のピッチにでき、取付応用性の拡大ができる利点がある。
【００２２】
次に、重合用力骨体２について、図８乃至図１３に基づいて説明する。該重合用力骨体２は、図９（Ａ）に示すように、主に、細長い平坦状主板２１と、主側部２２と、一端側上重ね部２３と、他端側下重ね部２４などから構成されている。前記平坦状主板２１は、折板屋根Ｂの単位折板屋根板Ｂ１なる幅に略相当する長さをなしている[図８及び図１０（Ａ）参照]。前記平坦状主板２１の幅方向の両側より垂下状に主側部２２，２２が形成されている。前記平坦状主板２１及び主側部２２，２２の長手方向の一端［図９（Ａ）において左側]に厚さが薄い（前記重合用力骨体２の厚さの約半分）一端側上重ね部２３が形成されている。
【００２３】
また、前記平坦状主板２１及び主側部２２，２２の長手方向の他端［図９（Ａ）において右側]に厚さが薄い（前記重合用力骨体２の厚さの約半分）他端側下重ね部２４が形成されている。つまり、長手方向の一端［図９（Ａ）において左側]には、下側の厚さ半分が切除された一端側上重ね部２３が、その長手方向の他端［図９（Ａ）において右側]には、上側の厚さ半分が切除された他端側下重ね部２４がそれぞれ形成され、前記一端側上重ね部２３と前記他端側下重ね部２４とで前記主側部２２の厚さ（前記重合用力骨体２の厚さ）に相当してなると共に、該箇所で折板屋根Ｂの重合用折板屋根５に固着可能に構成されている。
【００２４】
具体的には、長手方向に隣接する重合用力骨体２，２相互が連結されるときに、前記他端側下重ね部２４の上に、前記一端側上重ね部２３が載置されて重合されて固着されるが、その重合箇所の厚みは、前記重合用力骨体２全体の厚みと一致する。前記一端側上重ね部２３端には、一端垂下縁２３ａが設けられ、頂面（平坦状主板２１上）には、凹部２３ｂがプレスなどにて形成されている。該凹部２３ｂの深さｈ０は、別部材としての鍔付きナット３の鍔部３２高さｈ１に、ほぼ一致するように構成されている。さらに、具体的には、深さｈ０＞高さｈ１となるように構成されている［図９（Ｄ）及び図１０（Ｂ）参照]。
【００２５】
また、前記他端側下重ね部２４の上面は、前記平坦状主板２１の他端の垂下縁２１ａに連続して上面２４ａと他端垂下縁２４ｂが設けられ、その側部は前記主側部２２に一体形成されている。さらに、前記一端側上重ね部２３の側部も前記主側部２２に一体形成されている。前記一端側上重ね部２３には貫通孔２３ｈ付き凹部２３ｂが、前記他端側上重ね部２４上には貫通孔２４ｈ付き上面２４ａがそれぞれ形成され、前記折板屋根Ｂの重合箇所の剣先ボルト５４に螺合する鍔付きナット３の筒部３１が前記貫通孔２３ｈ，２４ｈのみに挿通可能に設けられている。前記一端側上重ね部２３及び前記他端側下重ね部２４の一端側，他端側は、図面に示す実施形態と逆となることもある。
【００２６】
次に、前記重合用力骨体２を折板屋根Ｂなる重合用折板屋根５への取付施工について説明する。該重合用折板屋根５は、谷部５１と重合部５２とで基本的に構成されている。前記谷部５１を広幅としてその中間に山形部５３（１山又は複数山）が形成されることがある。前記重合部５２と前記谷部５１との境は中立線の上下とする。前記重合用折板屋根５の重合部５２箇所の剣先ボルト５４に重合用力骨体２の他端側下重ね部２４を被せんとする［図１１（Ａ）実線参照]。そのとき、前記剣先ボルト５４が、前記他端側下重ね部２４の貫通孔２４ｈ内に位置させる。そして被せる［図１１（Ａ）点線参照]。
【００２７】
次に、隣接の重合用力骨体２の一端側上重ね部２３が前記他端側下重ね部２４に重なるように被せんとする［図１１（Ｂ）参照]。このときも、前記剣先ボルト５４が、前記一端側上重ね部２３の貫通孔２３ｈ内に位置させる。この状態下で、前記鍔付きナット３を用意する［図１１（Ｃ）参照]。筒部３１が下側になり、且つ内ネジ部３３を前記剣先ボルト５４に螺合させつつ、鍔部３２の六角部を廻して締め付ける［図１０（Ｂ）参照]。これによって、その重合箇所を折板屋根Ｂに取付ける。
【００２８】
また、前記隣接の重合用力骨体２の他端側下重ね部２４は、前述と同様に、重合用折板屋根５の重合部５２箇所の剣先ボルト５４に重合用力骨体２箇所に被せる。この後は、さらに次の重合用力骨体２を用意して、上記の他端側下重ね部２４に順次重ねつつ前記鍔付きナット３にて固着する。このとき、図１０（Ａ）に示すように、重合用折板屋根５の形状として、谷部５１の両側に重合部５２，５２が形成されることもあるが、重合部５２と重合部５２との間に、山形部５３が形成されることもある［図８（Ａ）及び（Ｂ）参照]。この場合の山形部５３の頂部には、前記重合用力骨体２が載置されるのみの構成をなしている。
【００２９】
このようにして、重合用力骨体２が折板屋根Ｂなる重合用折板屋根５に取付施工される。特に、鍔付きナット３にて連結箇所を締付け固定しており、部材の重合用力骨体２も強固にでき、折板屋根Ｂ上の力骨体としての役割をなす。そして、図１２（Ａ）に示すように、その力骨体なる連続した重合用力骨体２，２，…上に、適宜な屋根材８，ガッターなどの取付部材８ａなどが葺成できたり、或いは、図１２（Ｂ）に示すように、太陽光発電パネルや、緑化屋根部材などの屋根載置用部材９が取りつけられることがある。特に、力骨体の上面が平坦状をなしているため、取付条件の制限を受けない利点がある。さらに、図１２（Ｃ）に示すように、適宜の取付ボルトＮを取付けるにも、前記重合用力骨体２の平坦状主板２１のみのため、簡単に所望のピッチにでき、取付応用性の拡大ができる。
【００３０】
図１３に示したものは、適宜伸縮可能な重合用力骨体２である。具体的には、該重合用力骨体２の長手方向を２つに分離し、その中間に連結部材７を設けたものである。該連結部材７の断面は、前記重合用力骨体２の断面と同等で、肉厚分だけ異なり、図１３（Ａ）及び（Ｂ）に示すように、適宜摺動自在になるように構成されている。該連結部材９に所定間隔をおいて少なくとも３つのネジ孔７ａが穿孔され、分離重合用力骨体２Ｐ，２Ｐにも、前記ネジ孔７ａピッチに対応する貫孔７ｂが穿孔されて、ビスなどの止具７ｃにて伸縮できる。これによって、折板屋根用力骨体Ａの長手方向が折板屋根Ｂの適宜の間隔に対応できる。
【００３１】
前記馳締用折板屋根４又は重合用折板屋根５は、何れも、下地材としての構造材６ａ上に設けた屋根受具６ｂに取付けられている。特に、馳締用折板屋根４では、吊子６ｃを介して馳締加工にて取付けられている［図５（Ｃ）参照］。また、重合箇所で、前記重合用力骨体２の他端側下重ね部２４のみとなって、上側に載置されない場合には、図示しないが、前記鍔付きナット３の鍔部３２を下側にして前記剣先ボルト５４に螺合する。さらに、重合箇所で、前記重合用力骨体２の一端側上重ね部２３のみとなって、下側に存在しない場合も、図示しないが、前記鍔付きナット３の筒部３１を下側にして前記剣先ボルト５４に螺合する。
【図面の簡単な説明】
【００３２】
【図１】（Ａ）は本発明の馳部用力骨体を馳締用折板屋根に設けた要部斜視図、（Ｂ）は（Ａ）の正面図である。
【図２】（Ａ）は本発明の馳部用力骨体の斜視図、（Ｂ）は馳部用力骨体の一部斜視図である。
【図３】（Ａ）は本発明の馳部用力骨体を馳締用折板屋根に取付けんとした状態図、（Ｂ）は馳部用力骨体を馳締用折板屋根に取付け、馳部に被せた状態図である。
【図４】（Ａ）は本発明の馳部用力骨体を馳締用折板屋根に取付けんとした要部状態図、（Ｂ）は馳部用力骨体を馳締用折板屋根に取付けて馳部に被せてボルトにて固定した状態図、（Ｃ）は隣接の馳部用力骨体を馳締用折板屋根に連続して取付けんとした状態図である。
【図５】（Ａ）は本発明の馳部用力骨体を馳締用折板屋根に取付けた要部断面図、（Ｂ）は（Ａ）のＱ−Ｑ矢視断面図、（Ｃ）は吊子箇所での（Ａ）と同一箇所の断面図である。
【図６】（Ａ）は本発明の馳部用力骨体を第１実施形態の馳部に取付けた拡大状態図、（Ｂ）は本発明の馳部用力骨体を第２実施形態の馳部に取付けた拡大状態図、（Ｃ）は本発明の馳部用力骨体を第３実施形態の馳部に取付けた拡大状態図である。
【図７】（Ａ）は馳部用力骨体を馳締用折板屋根に取付けた後に、別の屋根板を取付けた断面図、（Ｂ）は馳部用力骨体を馳締用折板屋根に取付けた後に、太陽光発電パネルなどの屋根載置用部材を取付けた断面図、（Ｃ）は力骨体に適宜のピッチで適宜の取付ボルトを取付けている断面図である。
【図８】（Ａ）は本発明の重合用力骨体を重合用折板屋根に設けた要部斜視図、（Ｂ）は（Ａ）の正面図である。
【図９】（Ａ）は本発明の重合用力骨体の斜視図、（Ｂ）は（Ａ）のＸ−Ｘ矢視断面図、（Ｃ）は（Ａ）のＹ−Ｙ矢視断面図、（Ｄ）は（Ａ）のＺ−Ｚ矢視断面図、（Ｅ）は鍔付きナットの斜視図、（Ｆ）は（Ｅ）の断面図である。
【図１０】（Ａ）は本発明の重合用力骨体を別の重合用折板屋根に取付けた断面図、（Ｂ）は（Ａ）の（ア）箇所拡大断面図である。
【図１１】（Ａ）は本発明の重合用力骨体を重合用折板屋根に取付けんとした要部状態図、（Ｂ）は隣接の重合用力骨体を連続して取付けんとした状態図、（Ｃ）はその箇所に鍔付きナットを締め付けんとした状態図である。
【図１２】（Ａ）は重合用力骨体を重合用折板屋根に取付けた後に、別の屋根板を取付けた断面図、（Ｂ）は重合用力骨体を重合用折板屋根に取付けた後に、太陽光発電パネルなどの屋根載置用部材を取付けた断面図、（Ｃ）は力骨体に適宜のピッチで適宜の取付ボルトを取付けている断面図である。
【図１３】（Ａ）は本発明の別の実施形態であり、伸縮自在とした重合用力骨体を重合用折板屋根に取付けんとしている状態図、（Ｂ）は（Ａ）の重合用力骨体の一部切除した要部平面図である。
【符号の説明】
【００３３】
Ａ…折板屋根用力骨体、Ｂ…折板屋根、Ｂ１…単位折板屋根板、１…馳部用力骨体、
１１，２１…平坦状主板、１２，２２…主側部、１２ａ…馳部用切欠き、
１２ｂ…突出部、１３…端面部、１４…ボルト、１４ａ…ボルト頭、
２…重合用力骨体、２３…一端側上重ね部、２３ｈ，２４ｈ…貫通孔、
２４…他端側下重ね部、４３…馳部、５２…重合部、５４…剣先ボルト。
【図１】
2010138620.tif 000003
【図２】
2010138620.tif 000004
【図３】
2010138620.tif 000005
【図４】
2010138620.tif 000006
【図５】
2010138620.tif 000007
【図６】
2010138620.tif 000008
【図７】
2010138620.tif 000009
【図８】
2010138620.tif 000010
【図９】
2010138620.tif 000011
【図１０】
2010138620.tif 000012
【図１１】
2010138620.tif 000013
【図１２】
2010138620.tif 000014
【図１３】
2010138620.tif 000015